(57)【要約】  組電池（１０）は、互いに直列に接続された複数の２次電池（１２）を有している。接続部（３０）は、蓄電部（２０）を、複数の２次電池（１２）のいずれかに対して並列かつ同じ向きに接続する。電圧測定部（４０）は、複数の２次電池（１２）それぞれの電圧を測定する。制御部（５０）は、電圧測定部（４０）の測定結果に基づいて、接続部（３０）を制御し、蓄電部（２０）が接続する２次電池（１２）を選択する。制御部（３０）は、複数の２次電池（１２）から放電が行われているとき、放電電圧が相対的に低い２次電池（１２）を、制御部（３０）に選択させる。
2013132731.tif 000002
【特許請求の範囲】
【請求項１】
互いに直列に接続された複数の第１の２次電池を有する組電池と、
蓄電手段と、
前記蓄電手段を、前記複数の第１の２次電池のいずれかに対して並列かつ同じ向きに接続する接続手段と、
前記複数の第１の２次電池それぞれの電圧を測定する電圧測定手段と、
前記電圧測定手段の測定結果に基づいて、前記接続手段に、前記蓄電手段が接続する前記第１の２次電池を選択させる制御手段と、
を備え、
前記制御手段は、前記複数の第１の２次電池から放電が行われているとき、放電電圧が相対的に低い前記第１の２次電池を、前記接続手段に選択させる蓄電装置。
【請求項２】
互いに直列に接続された複数の第１の２次電池を有する組電池と、
蓄電手段と、
前記蓄電手段を、前記複数の第１の２次電池のいずれかに対して並列かつ同じ向きに接続する接続手段と、
前記複数の第１の２次電池それぞれの電圧を測定する電圧測定手段と、
前記電圧測定手段の測定結果に基づいて、前記接続手段に、前記蓄電手段が接続する前記第１の２次電池を選択させる制御手段と、
を備え、
前記制御手段は、前記複数の第１の２次電池が充電されているとき、充電電圧が相対的に高い前記第１の２次電池を、前記接続手段に選択させる蓄電装置。
【請求項３】
互いに直列に接続された複数の第１の２次電池を有する組電池と、
蓄電手段と、
前記蓄電手段を、前記複数の第１の２次電池のいずれかに対して並列かつ同じ向きに接続する接続手段と、
前記複数の第１の２次電池それぞれの電圧を測定する電圧測定手段と、
前記電圧測定手段の測定結果に基づいて、前記接続手段に、前記蓄電手段が接続する前記第１の２次電池を選択させる制御手段と、
を備え、
前記制御手段は、基準回数以上又は基準時間以上前記蓄電手段に接続された前記第１の２次電池があった場合、当該第１の２次電池が常に前記蓄電手段に接続するように、前記接続手段を制御する蓄電装置。
【請求項４】
請求項１〜３のいずれか一項に記載の蓄電装置において、
前記蓄電手段は、前記第１の２次電池と同一の２次電池である蓄電装置。
【請求項５】
請求項１〜４のいずれか一項に記載の蓄電装置において、
前記蓄電手段はリチウムイオン電池であり、
前記蓄電手段を過充電から保護する保護回路をさらに備え、
前記制御手段は、前記蓄電手段の充電電圧に基づいて、前記保護回路の動作を制御する蓄電装置。
【請求項６】
互いに直列に接続された複数の第１の２次電池を有する電池に、蓄電手段を、前記複数の第１の２次電池のいずれかに対して並列かつ同じ向きに接続する接続手段を介して接続させ、
前記複数の第１の２次電池から放電が行われているとき、放電電圧が相対的に低い前記第１の２次電池を、前記接続手段に選択させる蓄電装置の制御方法。
【請求項７】
互いに直列に接続された複数の第１の２次電池を有する組電池に、蓄電手段を、前記複数の第１の２次電池のいずれかに対して並列かつ同じ向きに接続する接続手段を介して接続させ、
前記複数の第１の２次電池が充電されているとき、充電電圧が相対的に高い前記第１の２次電池を、前記接続手段に選択させる蓄電装置の制御方法。
【請求項８】
互いに直列に接続された複数の第１の２次電池を有する組電池に、蓄電手段を、前記複数の第１の２次電池のいずれかに対して並列かつ同じ向きに接続する接続手段を介して接続させ、
基準回数以上又は基準時間以上前記蓄電手段に接続された前記第１の２次電池があった場合、当該第１の２次電池が常に前記蓄電手段に接続するように、前記接続手段を制御する蓄電装置の制御方法。
【請求項９】
請求項６〜８のいずれか一項に記載の蓄電装置の制御方法において、
前記蓄電手段は、前記第１の２次電池と同一の２次電池である蓄電装置の制御方法。
【請求項１０】
請求項６〜９のいずれか一項に記載の蓄電装置の制御方法において、
前記蓄電手段はリチウムイオン電池であり、
前記蓄電手段を過充電から保護する保護回路をさらに設け、
前記蓄電手段の充電電圧に基づいて、前記保護回路の動作を制御する蓄電装置の制御方法。
【発明の詳細な説明】
【技術分野】
【０００１】
本発明は、複数の２次電池を直列に並べた蓄電装置及び蓄電装置の制御方法に関する。
【背景技術】
【０００２】
エネルギーを有効利用することを目的として、２次電池を利用する機会が増えている。２次電池は、原理上一定の電圧しか得られないため、所望の電圧を得るために、複数直列に接続された状態で使用されることが多い。【０００３】
一方、２次電池は使用時間が長くなるにつれて劣化する。この劣化の大きさは、２次電池の個体によってばらつく。このため、複数直列に接続された２次電池は、使用時間が長くなるにつれて充放電特性がばらつく。【０００４】
これに対して特許文献１及び２には、相対的に蓄電残量が多い２次電池の電力を、残量の少ない２次電池に移すための技術、所謂バランス制御が記載されている。具体的には、特許文献１及び２には、２次電池と並列にコンデンサを設け、このコンデンサを介して２次電池の間で電力のやり取りを行うことが記載されている。
【先行技術文献】
【特許文献】
【０００５】
【特許文献１】特開平１１−１４６５７０号公報
【特許文献２】特開平１１−３５５９６６号公報
【発明の概要】
【発明が解決しようとする課題】
【０００６】
しかし特許文献１及び２に記載の技術では、２次電池からの放電及び充電を伴うため、バランス制御に要する時間が長くなっていた。またいずれかの２次電池が故障した場合、残りの２次電池が故障していない場合であっても、全ての２次電池を交換する必要があった。【０００７】
本発明の第１の目的は、複数の２次電池の間で電力のやり取りを行わなくても２次電池の充放電特性のばらつきを吸収することができる蓄電装置及び蓄電池の制御方法を提供することにある。また本発明の第２の目的は、いずれかの２次電池が故障した場合であっても全ての２次電池を交換する必要がない蓄電装置及び蓄電池の制御方法を提供することにある。
【課題を解決するための手段】
【０００８】
本発明によれば、互いに直列に接続された複数の第１の２次電池を有する組電池と、
蓄電手段と、
前記蓄電手段を、前記複数の第１の２次電池のいずれかに対して並列かつ同じ向きに接続する接続手段と、
前記複数の第１の２次電池それぞれの電圧を測定する電圧測定手段と、
前記電圧測定手段の測定結果に基づいて、前記接続手段に、前記蓄電手段が接続する前記第１の２次電池を選択させる制御手段と、
を備え、
前記制御手段は、前記複数の第１の２次電池から放電が行われているとき、放電電圧が相対的に低い前記第１の２次電池を、前記接続手段に選択させる蓄電装置が提供される。【０００９】
本発明によれば、互いに直列に接続された複数の第１の２次電池を有する組電池と、
蓄電手段と、
前記蓄電手段を、前記複数の第１の２次電池のいずれかに対して並列かつ同じ向きに接続する接続手段と、
前記複数の第１の２次電池それぞれの電圧を測定する電圧測定手段と、
前記電圧測定手段の測定結果に基づいて、前記接続手段に、前記蓄電手段が接続する前記第１の２次電池を選択させる制御手段と、
を備え、
前記制御手段は、前記複数の第１の２次電池が充電されているとき、充電電圧が相対的に高い前記第１の２次電池を、前記接続手段に選択させる蓄電装置が提供される。【００１０】
本発明によれば、互いに直列に接続された複数の第１の２次電池を有する組電池と、
蓄電手段と、
前記蓄電手段を、前記複数の第１の２次電池のいずれかに対して並列かつ同じ向きに接続する接続手段と、
前記複数の第１の２次電池それぞれの電圧を測定する電圧測定手段と、
前記電圧測定手段の測定結果に基づいて、前記接続手段に、前記蓄電手段が接続する前記第１の２次電池を選択させる制御手段と、
を備え、
前記制御手段は、基準回数以上又は基準時間以上前記蓄電手段に接続された前記第１の２次電池があった場合、当該第１の２次電池が常に前記蓄電手段に接続するように、前記接続手段を制御する蓄電装置が提供される。この蓄電装置において、当該第１の２次電池への接続時間もしく接続回数が基準値を超えたとしても、前記制御手段は、その第１の２次電池への接続が継続するように前記接続手段を制御してもよい。【００１１】
本発明によれば、互いに直列に接続された複数の第１の２次電池を有する組電池に、蓄電手段を、前記複数の第１の２次電池のいずれかに対して並列かつ同じ向きに接続する接続手段を介して接続させ、
前記複数の第１の２次電池から放電が行われているとき、放電電圧が相対的に低い前記第１の２次電池を、前記接続手段に選択させる蓄電装置の制御方法が提供される。【００１２】
本発明によれば、互いに直列に接続された複数の第１の２次電池を有する組電池に、蓄電手段を、前記複数の第１の２次電池のいずれかに対して並列かつ同じ向きに接続する接続手段を介して接続させ、
前記複数の第１の２次電池が充電されているとき、充電電圧が相対的に高い前記第１の２次電池を、前記接続手段に選択させる蓄電装置の制御方法が提供される。【００１３】
本発明によれば、互いに直列に接続された複数の第１の２次電池を有する組電池に、蓄電手段を、前記複数の第１の２次電池のいずれかに対して並列かつ同じ向きに接続する接続手段を介して接続させ、
基準回数以上又は基準時間以上前記蓄電手段に接続された前記第１の２次電池があった場合、当該第１の２次電池が常に前記蓄電手段に接続するように、前記接続手段を制御する蓄電装置の制御方法が提供される。この方法において、現在蓄電手段に接続している第１の２次電池に対する接続時間もしく接続回数が基準値を超えたとしても、その第１の２次電池への接続が継続するように前記接続手段を制御してもよい。
【発明の効果】
【００１４】
本発明によれば、複数の２次電池の間で電力のやり取りを行わなくても２次電池の充放電特性のばらつきを吸収することができる。また、いずれかの２次電池が故障した場合であっても全ての２次電池を交換する必要がなくなる。
【図面の簡単な説明】
【００１５】
上述した目的、およびその他の目的、特徴および利点は、以下に述べる好適な実施の形態、およびそれに付随する以下の図面によってさらに明らかになる。【００１６】
【図１】第１の実施形態に係る蓄電装置の構成を示す図である。
【図２】組電池を充電するときの、制御部が行う制御を示すフローチャートである。
【図３】図３に示した処理の効果を説明するための図である。
【図４】組電池から放電を行うときの、制御部が行う制御を示すフローチャートである。
【図５】図４に示した処理の効果を説明するための図である。
【図６】第２の実施形態に係る制御部の機能を説明するためのフローチャートである。
【図７】第３の実施形態に係る蓄電装置の構成を示す図である。
【図８】第４の実施形態に係る蓄電装置の構成を示す図である。
【図９】第５の実施形態に係る蓄電装置の構成を示す図である。
【図１０】図７に示した蓄電装置に対して保護回路を設けた例を示す図である。
【図１１】図８に示した蓄電装置に対して保護回路を設けた例を示す図である。
【発明を実施するための形態】
【００１７】
以下、本発明の実施の形態について、図面を用いて説明する。尚、すべての図面において、同様な構成要素には同様の符号を付し、適宜説明を省略する。
【００１８】
（第１の実施形態）
図１は、第１の実施形態に係る蓄電装置の構成を示す図である。この蓄電装置は、組電池１０、蓄電部２０、接続部３０、電圧測定部４０、及び制御部５０を備えている。組電池１０は、互いに直列に接続された複数の２次電池１２（第１の２次電池）を有している。接続部３０は、蓄電部２０を、複数の２次電池１２のいずれかに対して並列かつ同じ向きに接続する。電圧測定部４０は、複数の２次電池１２それぞれの電圧を測定する。制御部５０は、電圧測定部４０の測定結果に基づいて、接続部３０を制御し、蓄電部２０が接続する２次電池１２を選択する。
【００１９】
本実施形態において、制御部５０は、複数の２次電池１２から放電が行われているとき、放電電圧が相対的に低い２次電池１２、例えば最も電圧が低い２次電池１２を選択する。また制御部５０は、複数の２次電池１２に対して充電が行われているとき、相対的に充電電圧が高い２次電池１２、例えば最も電圧が高い２次電池１２を選択する。
【００２０】
２次電池１２は、例えばリチウムイオン電池である。蓄電部２０は、コンデンサや２次電池（第２の２次電池）であるが、好ましくは２次電池１２と同一の種類の２次電池である。蓄電部２０が２次電池である場合、蓄電部２０は、例えばリチウムイオン電池である。
【００２１】
図２は、組電池１０に充電を行うときの、制御部５０が行う制御を示すフローチャートである。まず制御部５０は、電圧測定部４０から、複数の２次電池１２の充電電圧を、一定時間毎に受信する（ステップＳ１０）。そして制御部５０は、いずれかの２次電池１２の充電電圧が基準値以上である場合（ステップＳ２０：Ｙｅｓ）、基準値以上の２次電池１２の一つを選択する（ステップＳ３０）。例えば制御部５０は、相対的に充電電圧が高い２次電池１２、例えば最も充電電圧が高い２次電池１２を選択する。そして制御部５０は、接続部３０を制御し、蓄電部２０を、選択した２次電池１２に対して並列に接続させる（ステップＳ４０）。
【００２２】
その後、制御部５０は、電圧測定部４０から定期的に、複数の２次電池１２の充電電圧を受信し（ステップＳ５０）、ステップＳ３０及びステップＳ４０に示した処理を繰り返し行う。例えば制御部５０が、ステップＳ３０において最も充電電圧が高い２次電池１２を選択している場合、この繰り返し処理において、蓄電部２０が並列に接続される２次電池１２が変わることもある。また、制御部５０は、現在蓄電部２０に接続している２次電池１２に対する接続時間もしく接続回数が基準値を超えたとしても、その２次電池１２への接続が継続するようにするのが好ましい。
【００２３】
図２に示した処理の効果について、図３を用いて説明する。本図に示す例は、一番上の２次電池１２が、他の２次電池１２と比較して劣化が大きい場合を示している。２次電池１２の充電電圧は、２次電池１２に蓄電されているエネルギーが上限に近づくにつれて高くなる。一方、複数の２次電池１２が直列に接続されている場合、これら２次電池１２に蓄電される電流量は互いに同一となる。このため、複数の２次電池１２の劣化度合いに差がある場合、最も劣化が大きい２次電池１２（本図の例では一番上の２次電池１２）の充電電圧は、他の２次電池１２の充電電圧と比較して高くなる。上記したように、制御部５０は、例えば最も充電電圧が高い２次電池１２に、蓄電部２０を並列に接続する。このため、制御部５０は、最も劣化が大きい２次電池１２に、蓄電部２０を並列に接続することになる。
【００２４】
すると、図３に示すように、それまで最も上の２次電池１２を流れていた電流の一部は、蓄電部２０を流れる。このため、最も上に位置する２次電池１２の充電速度は、他の２次電池１２の充電速度と比較して遅くなる。従って、最も劣化が大きい２次電池１２の充電が完了する時間と、他の２次電池１２の充電が完了する時間の差は小さくなる。この結果、最も劣化が大きい２次電池１２の充電が完了したときにおいて、他の２次電池１２の充電量を満充電量に近づけることができる。
【００２５】
図４は、組電池１０から放電を行うときの、制御部５０が行う制御を示すフローチャートである。まず制御部５０は、電圧測定部４０から、複数の２次電池１２の放電電圧を、一定時間毎に受信する（ステップＳ１１０）。そして制御部５０は、いずれかの２次電池１２の放電電圧が基準値以下である場合（ステップＳ１２０：Ｙｅｓ）、基準値以下の２次電池１２の一つを選択する（ステップＳ１３０）。例えば制御部５０は、最も放電電圧が低い２次電池１２を選択する。そして制御部５０は、接続部３０を制御し、蓄電部２０を、選択した２次電池１２に対して並列に接続させる（ステップＳ１４０）。
【００２６】
その後、制御部５０は、電圧測定部４０から定期的に、複数の２次電池１２の放電電圧を受信し（ステップＳ１５０）、ステップＳ１３０及びステップＳ１４０に示した処理を繰り返し行う。例えば制御部５０が、ステップＳ１３０において最も放電電圧が低い２次電池１２を選択している場合、この繰り返し処理において、蓄電部２０が並列に接続される２次電池１２が変わることもある。また、制御部５０は、現在蓄電部２０に接続している２次電池１２に対する接続時間もしく接続回数が基準値を超えたとしても、その２次電池１２への接続が継続するようにするのが好ましい。
【００２７】
図４に示した処理の効果について、図５を用いて説明する。本図に示す例は、一番上の２次電池１２が、他の２次電池１２と比較して劣化が大きい場合を示している。２次電池１２の放電電圧は、２次電池１２に蓄電されているエネルギーが下限に近づくにつれて低くなる。一方、複数の２次電池１２が直列に接続されている場合、これら２次電池１２から放電される電流量は互いに同一となる。このため、複数の２次電池１２の劣化度合いに差がある場合、最も劣化が大きい２次電池１２（本図の例では一番上の２次電池１２）の放電電圧は、他の２次電池１２の放電電圧と比較して低くなる。上記したように、制御部５０は、例えば最も放電電圧が低い２次電池１２に、蓄電部２０を並列に接続する。このため、制御部５０は、最も劣化が大きい２次電池１２に、蓄電部２０を並列に接続することになる。
【００２８】
すると、図５に示すように、それまで最も上の２次電池１２を流れていた電流の一部は、蓄電部２０を流れる。このため、最も上に位置する２次電池１２の放電速度は、他の２次電池１２の放電速度と比較して遅くなる。従って、最も劣化が大きい２次電池１２の放電が完了する時間と、他の２次電池１２の放電が完了する時間の差は小さくなる。この結果、最も劣化が大きい２次電池１２の放電が完了したときにおいて、他の２次電池１２に残存する電力を少なくできる。
【００２９】
以上、本実施形態によれば、組電池１０に充電を行う場合、制御部５０は、充電電圧が高い２次電池１２に蓄電部２０を並列に接続する。また組電池１０から放電を行う場合、制御部５０は、放電電圧が低い２次電池１２に蓄電部２０を並列に接続する。これにより、複数の２次電池の間で電力のやり取りを行わなくても２次電池の充放電特性のばらつきを吸収することができる。
【００３０】
（第２の実施形態）
本実施形態に係る蓄電装置は、制御部５０の機能を除いて、第１の実施形態に係る蓄電装置と同様である。本実施形態に係る制御部５０は、第１の実施形態に示した機能に加えて、又は第１の実施形態に示した機能に変えて、以下に示した機能を有している。
【００３１】
図６は、本実施形態に係る制御部５０の機能の第１例を説明するためのフローチャートである。このフローチャートは、組電池１０に充電を行うときの制御を示している。まず制御部５０は、基準回数以上、又は基準時間以上蓄電部２０が接続している２次電池１２があるか否かを判断する（ステップＳ２２０）。そのような２次電池１２がある場合（ステップＳ２２０：Ｙｅｓ）、制御部５０は、その２次電池１２が故障又は交換が必要なほど劣化していると判断し、その２次電池１２を選択する（ステップＳ２３０）。そして制御部５０は、接続部３０を制御し、蓄電部２０を、選択した２次電池１２に対して並列に接続させる（ステップＳ２４０）。
【００３２】
ある２次電池１２が基準回数以上、又は基準時間以上蓄電部２０が接続している場合、その２次電池１２は故障又は交換が必要なほど劣化している可能性が高い。これに対して本実施形態では、蓄電部２０を、その２次電池１２に並列に接続している。このため、蓄電部２０が故障した２次電池１２のバックアップとして機能する。従って、いずれかの２次電池１２が故障又は交換が必要なほど劣化してしても、他の２次電池１２が正常であった場合、組電池１０の全体を交換する必要がなくなる。この効果は、蓄電部２０が２次電池１２と同一種類の２次電池であった場合、特に大きくなる。
【００３３】
なお、組電池１０から放電を行うときも、制御部５０は同様の制御を行う。すなわち制御部５０は、基準回数以上、又は基準時間以上蓄電部２０が接続している２次電池１２があるか否かを判断する（ステップＳ２２０）。そのような２次電池１２がある場合（ステップＳ２２０：Ｙｅｓ）、制御部５０は、その２次電池１２が故障又は交換が必要なほど劣化していると判断し、その２次電池１２を選択する（ステップＳ２３０）。そして制御部５０は、接続部３０を制御し、蓄電部２０を、選択した２次電池１２に対して並列に接続させる（ステップＳ２４０）。
【００３４】
（第３の実施形態）
図７は、第３の実施形態に係る蓄電装置の構成を示す図である。本実施形態に係る蓄電装置は、接続部３０がマトリックススイッチを有している点を除いて、第１又は第２の実施形態と同様である。
【００３５】
すなわち本実施形態において、接続部３０は、端子３１，３２、及び複数の端子３４を有している。端子３１は蓄電部２０の正極に接続しており、端子３２は蓄電部２０の負極に接続している。複数の端子３４のうち最も上側の端子３４は、最上流の２次電池１２の正極に接続しており、最も下側の端子３４は、最下流の２次電池１２の負極に接続している。残りの端子３４は、それぞれ複数の２次電池１２の相互間に接続している。
【００３６】
そして接続部３０は、端子３１に接続する端子３４を選択すると共に、端子３２に接続する端子３４を選択する。これにより蓄電部２０は、任意の２次電池１２に並列に接続することができる。
【００３７】
本実施形態によっても、第１の実施形態又は第２の実施形態と同様の効果を得ることができる。
【００３８】
（第４の実施形態）
図８は、第４の実施形態に係る蓄電装置の構成を示す図である。本実施形態に係る蓄電装置は、接続部３０が、スイッチ素子を有するスイッチング回路を有している点、及び蓄電部２０ａ、２０ｂがこの順に２つ直列に並んでいる点を除いて、第１又は第２の実施形態と同様である。
【００３９】
接続部３０は、スイッチ３３ａ，３３ｂ及びスイッチ３５ａ，３５ｂ，３５ｃを有している。スイッチ３３ａは、上流側の蓄電部２０ａの正極側に接続している。スイッチ３３ｂは、２つの蓄電部２０ａ，２０ｂの間に設けられている。スイッチ３３ａは、スイッチ３５ａを介して、最も上流側に位置する２次電池１２の正極に接続している。上流側の蓄電部２０ａの負極とスイッチ３３ｂの間は、スイッチ３５ｂを介して、最も上流側の２次電池１２の負極に接続している。またスイッチ３５ａとスイッチ３３ａの間は、上流側から数えて偶数番目の２次電池１２の負極に、スイッチ３５ｃを介して接続している。さらに上流側の蓄電部２０ａの負極とスイッチ３３ｂの間は、上流側から数えて偶数番目の２次電池１２の正極に、スイッチ３５ｂを介して接続している。なお、蓄電部２０ｂの負極は、各スイッチ３５ａ，３５ｃにも接続している。
【００４０】
このような構成において、蓄電部２０ａは、閉じられるスイッチが選択されることにより、上流側から数えて奇数番目の２次電池１２に並列に接続される。また蓄電部２０ｂは、閉じられるスイッチが選択されることにより、上流側から数えて偶数番目の２次電池１２に接続される。例えば最も上流側の２次電池１２に蓄電部２０ａを接続したい場合、スイッチ３５ａ、３３ａ、及び最も上流側のスイッチ３５ｂを閉じればよい。また上流側から２番目の２次電池１２に蓄電部２０ｂを接続したい場合、最も上流側のスイッチ３５ｂ、スイッチ３５ｃ、及びスイッチ３３ｂを接続すればよい。
【００４１】
従って、本実施形態によっても、第１の実施形態又は第２の実施形態と同様の効果を得ることができる。
【００４２】
（第５の実施形態）
図９は、第５の実施形態に係る蓄電装置の構成を示す図である。この蓄電装置は、保護回路６０及び電圧測定部６２を備える点を除いて、第１の実施形態に係る蓄電装置と同様の構成である。
【００４３】
本実施形態において、蓄電部２０はリチウムイオン電池である。電圧測定部６２は、蓄電部２０の両端に加わる電圧を測定している。そして保護回路６０は、蓄電部２０を過充電から保護する。保護回路６０の動作は、制御部５０によって制御されている。
【００４４】
本図に示す例では、保護回路６０は、抵抗素子とスイッチとを直列に並べた構成を有している。そして保護回路６０は、蓄電部２０に対して並列に設けられている。制御部５０は、保護回路６０のスイッチの開閉を制御している。具体的には、保護回路６０は、電圧測定部６２によって測定された蓄電部２０の電圧が、基準値に達した場合、保護回路６０のスイッチを閉じる。これにより、蓄電部２０は過充電から保護される。なお、保護回路６０に含まれているスイッチが閉じられている間、制御部５０は、蓄電部２０を２次電池１２から切り離すのが好ましい。
【００４５】
本実施形態によっても、第１の実施形態と同様の効果を得ることができる。また、保護回路６０を設けたため、蓄電部２０は過充電から保護される。
【００４６】
なお、図１０に示すように、図７に示した蓄電装置に対して保護回路６０を設けても良い。この場合においても、蓄電部２０は過充電から保護される。
【００４７】
また、図１１に示すように、図８に示した蓄電装置に対して保護回路６０を設けても良い。この場合、保護回路６０は、一端がスイッチ３３ａとスイッチ３５ａの間に接続され、他端が蓄電部２０ａの負極とスイッチ３３ｂの間に接続される。本図に示す例において、蓄電部２０ａを過充電から保護する場合、制御部５０は、保護回路６０に含まれているスイッチ、及びスイッチ３３ａを閉じる。また制御部５０は、蓄電部２０ｂを過充電から保護する場合、保護回路６０に含まれているスイッチ、及びスイッチ３３ｂを閉じる。
【００４８】
以上、図面を参照して本発明の実施形態について述べたが、これらは本発明の例示であり、上記以外の様々な構成を採用することもできる。
【００４９】
この出願は、２０１２年３月５日に出願された日本出願特願２０１２−４８４３３を基礎とする優先権を主張し、その開示の全てをここに取り込む。
【図１】
2013132731.tif 000003
【図２】
2013132731.tif 000004
【図３】
2013132731.tif 000005
【図４】
2013132731.tif 000006
【図５】
2013132731.tif 000007
【図６】
2013132731.tif 000008
【図７】
2013132731.tif 000009
【図８】
2013132731.tif 000010
【図９】
2013132731.tif 000011
【図１０】
2013132731.tif 000012
【図１１】
2013132731.tif 000013
【国際調査報告】
2013132731.tif 000014
2013132731.tif 000015
2013132731.tif 000016
2013132731.tif 000017
2013132731.tif 000018